(57)【要約】      （修正有）【課題】乳癌の放射線治療用補助具を提供する。【解決手段】貫通孔（第１開口）２２１を有するカップ体２１を含み、カップ体２１は、基部２１２と、凹陥した内表面を連続的に形成する圧縮部２１１を備え、圧縮部２１１は基部２１２から延伸し、凹陥状の内表面は女性患者が所定の姿勢をとった際の乳房形状と一致する輪郭を有する。前記貫通孔（第１開口）２２１は女性患者の乳房の一部を通すようカップ体に形成されるとともに、切断平面と患者の乳房の輪郭により定義される輪郭曲線を有する。【選択図】図２
2018167020.tif 000002
【特許請求の範囲】
【請求項１】
カップ体を含み、当該カップ体は、基部と、当該基部に接続されて凹陥した内表面を形成する圧縮部を備え、当該凹陥した内表面は女性患者の乳房形状と一致する輪郭を有し、
当該圧縮部は、当該女性患者の乳房の一部を通す貫通孔（第１開口）を含み、当該貫通孔（第１開口）は、切断平面と当該女性患者の乳房の輪郭により定義される輪郭線を有する乳癌の放射線治療用補助具。
【請求項２】
前記輪郭は当該女性患者の乳房の３次元画像であり、当該３次元画像は、当該女性患者の胴体のうち背中部分が垂直軸線Ｙに対して角度αを形成するよう、当該女性患者が両腕を頭部に向けて伸ばした状態で胴体を前屈させた姿勢をとった場合の画像である請求項１に記載の乳癌の放射線治療用補助具。
【請求項３】
前記角度αは、３０〜６０度の範囲である請求項２に記載の乳癌の放射線治療用補助具。
【請求項４】
前記垂直軸線Ｙは床の法線方向に対し平行である請求項２に記載の乳癌の放射線治療用補助具。
【請求項５】
前記カップ体における凹陥した内表面は、当該女性患者の乳房に隣接する胸部の一部形状と一致する輪郭を更に含む請求項１に記載の乳癌の放射線治療用補助具。
【請求項６】
当該貫通孔（第１開口）を形成するための当該切断平面は、当該カップ体における圧縮部の軸方向に対して平行か、或いは夾角θを形成する平面であり、当該夾角θの角度は１０〜９０度の範囲である請求項１に記載の乳癌の放射線治療用補助具。
【請求項７】
前記カップ体は、当該圧縮部に位置する複数の滑り止めベルト孔を更に含み、当該滑り止めベルト孔に通される滑り止めベルトによって当該補助具を支持するようアシストする請求項１に記載の乳癌の放射線治療用補助具。
【請求項８】
前記カップ体は、当該基部に位置する複数の固定ベルト孔を更に含み、当該固定ベルト孔に通される固定ベルトによって、患者の胴体に対する当該補助具の固定をアシストする請求項１に記載の乳癌の放射線治療用補助具。
【請求項９】
前記カップ体は、放射線を防止するよう当該カップ体の内表面に形成される金属層を更に含む請求項１に記載の乳癌の放射線治療用補助具。
【請求項１０】
前記カップ体は、放射線の放射効果を拡大するよう当該カップ体の内表面に形成される放射線強化層を更に含む請求項１に記載の乳癌の放射線治療用補助具。
【発明の詳細な説明】
【技術分野】
【０００１】
本発明は医療用補助具に関し、特に、乳癌の放射線治療用補助具に関する。
【背景技術】
【０００２】
現在、乳癌の治療にあたってはいくつかの選択肢があるが、通常は手術で癌細胞を切除してから、後続の治療手段として化学療法（ｃｈｅｍｏｔｈｅｒａｐｙ）又は放射線治療（ｒａｄｉａｔｉｏｎ  ｔｈｅｒａｐｙ）を実施する。放射線治療は、乳癌手術後に乳房内部に残留した癌細胞に的を絞った治療を可能とするもので、癌細胞を効果的に死滅させられる方法である。放射線治療はほかの治療法と比べて耐性に優れ、副作用も患者の治療部位に限定される。
【０００３】
外部の放射線源を乳房内の癌細胞を壊滅させる手段として利用することが、放射線治療では一般的となっている。このような治療法では、放射線源（通常、放射線源は体外の機器、例えば線型加速器により発生）によって放射線（ｒａｄｉａｔｉｏｎ  ｂｅａｍ）を患者の乳房のうち癌細胞を有する領域に伝送することで放射線治療を実施する。放射線の入射角度及び投与量の設定については、放射線治療に先立ち、放射線治療計画システムで詳細に測定した後に決定される。また、患者の皮膚にマーキングした記号を放射線治療時の放射線の焦点又は治療領域の案内マークとして用いる。大部分の放射線治療は、患者を仰向け（ｓｕｐｉｎｅ  ｐｏｓｉｔｉｏｎ）姿勢にして実施する。即ち、患者の顔部と胴体を上に向けて水平に横たわらせた、うつ伏せ（ｐｒｏｎｅ  ｐｏｓｉｔｉｏｎ）とは逆の姿勢で実施する。
【０００４】
図１Ａは、女性患者１が放射線治療を受ける際にとる仰向け（ｓｕｐｉｎｅ  ｐｏｓｉｔｉｏｎ）姿勢を示す。患者が仰向け姿勢になると、乳房１１（又は乳房組織）内に位置するターゲット領域１１１（癌細胞を有する領域）が重力によって下方に引っ張られるため、放射線が心臓１２や肺１３といった近傍の器官に照射されやすく、ひいてはこれら（心臓１２や肺１３）を損傷させてしまう。
【０００５】
放射線治療時に患者の心臓１２や肺１３に放射線が照射されないようにするには、図１Ｂを参照して、患者を放射線治療時にうつ伏せ姿勢（ｐｒｏｎｅ  ｐｏｓｉｔｉｏｎ）とするのが一般的である。しかし、うつ伏せ姿勢で放射線治療を行うと、患者の乳房のうち治療を必要としない側が圧迫され、患者に不快感を与えてしまう。また、患者をうつ伏せ姿勢にして放射線治療を実施する場合、治療機器の設定や治療時の前段階作業が仰向けで放射線治療を実施する場合に比べて繁雑となる。
【０００６】
通常、患者の心臓１２及び肺１３に対する放射線通過リスクを低減させるためには、患者をうつ伏せにして放射線治療を実施することが考えられる。しかし、この場合にもリスクや欠点は残ってしまう。これは、患者にうつ伏せ姿勢をとらせて放射線治療を行った場合、患者の心臓１２や肺１３が重力により下方に引っ張られ、ターゲット領域１１１に過度に近接する可能性があるためである。
【０００７】
患者が仰向け姿勢をとると乳房１１はひしゃげ、乳房１１上の基準点Ｍから心臓１２までの最小距離はＸ１と測定される。なお、前記基準点Ｍは患者の乳房１１上にマーキングされる任意の点である。これに対し、患者がうつ伏せ姿勢をとると、乳房１１上の基準点Ｍから心臓１２までの最小距離はＸ２と測定される。通常、距離Ｘ２は距離Ｘ１とほぼ同じか距離Ｘ１よりも大きくなるが、距離Ｘ２と距離Ｘ１に明らかな差は存在しない。これは、患者がうつ伏せ姿勢をとった場合、患者の心臓１２、肺１３及び乳房１１がいずれも重力方向に下方へと引っ張られるからである。そのため、患者をうつ伏せ姿勢にして放射線治療を実施したとしても、仰向け姿勢の場合と比べて、患者の乳房組織と心臓１２及び肺１３との距離を想定したほどには拡大できない。特に、患者の乳癌細胞が乳房１１内部に位置する場合には、うつ伏せ姿勢で放射線治療を行うことに目立ったメリットはない。
【発明の概要】
【発明が解決しようとする課題】
【０００８】
患者はうつ伏せ姿勢で放射線治療を受ける場合、開口を備えた診療台上で下向きに伏せ、乳癌を罹患している側の乳房を前記開口に通す必要がある。ところが、もう一方の健康で放射線治療を要さない乳房については診療台上で圧迫されることから、患者が不快に感じる場合がある。一方、仰向け姿勢での放射線治療を考慮する場合には、治療機器の設定や治療時の前段階作業が比較的容易となり、且つ、患者自身も放射線治療過程を比較的快適に過ごせる。しかし、上述したように、患者が放射線治療時に乳癌の放射線治療用補助具をなんら装着していない場合には、患者にどのような姿勢をとらせて放射線治療を実施したとしても、癌細胞を有するターゲット領域は心臓や肺といった患者の周辺器官に過度に近接してしまう。こうした状況で放射線治療を受けると、患者の心臓や肺の一部が放射線治療時に放射線の進行経路上に位置することから、患者の心臓や肺が放射線照射を受けてしまう。そして、放射線照射にさらされた場合、患者の心臓や肺、或いは近傍の器官／組織に損傷が生じる恐れがある。
【０００９】
本発明は、上記の放射線治療時に発生する様々な欠点に対し、これらを解消するための乳癌の放射線治療用補助具を提供する。
【課題を解決するための手段】
【００１０】
本発明は、開口を有するカップ体を含む乳癌の放射線治療用補助具を開示する。カップ体は基部及び圧縮部を備え、内側に凹陥する内表面が連続的に接続されるよう形成されている。前記圧縮部は基部から延伸してなり、前記内側に凹陥する内表面は、女性患者が所定の姿勢をとった際の乳房形状と一致する輪郭を有する。前記開口は、前記女性患者の乳房の一部が通されるよう前記圧縮部の上半部に形成されるとともに、切断平面と患者の乳房の輪郭により定義される輪郭線を有する。
【発明の効果】
【００１１】
本発明によれば、前記乳癌の放射線治療用補助具は、女性乳癌患者が仰向け姿勢で放射線治療を受ける際に女性患者の乳房を支持することが可能である。前記補助具を装着すると女性患者の乳房が支持されるため、女性患者の乳房内部に位置する癌細胞を有するターゲット領域の位置が、患者の心臓や肺から離開するよう維持される。そのため、患者の心臓や肺が放射線照射を受ける確率を最小限まで低下させられる。
【００１２】
以下に、本発明が十分に理解されるよう、本発明の詳細及び実施例を示す図について説明する。ただし、これらは本発明の応用を理解するための参照用にすぎず、本発明を特定の実施例に限定するものではないと解釈すべきである。
【図面の簡単な説明】
【００１３】
【図１Ａ】図１Ａは、従来技術において女性患者が仰向け姿勢をとる場合を示す図である。
【図１Ｂ】図１Ｂは、従来技術において女性患者がうつ伏せ姿勢をとる場合を示す図である。
【図２】図２は、本発明の一実施例における乳癌の放射線治療用補助具の平面図を示す。
【図３Ａ】図３Ａは、本発明の他の実施例における乳癌の放射線治療用補助具の平面図を示す。
【図３Ｂ】図３Ｂは、本発明の他の実施例における乳癌の放射線治療用補助具の平面図を示す。
【図４】図４は、本発明の一実施例における乳癌の放射線治療用補助具の底面図を示す。
【図５】図５は、本発明の他の実施例における乳癌の放射線治療用補助具の底面図を示す。
【図６】図６は、本発明において女性患者が乳癌の放射線治療用補助具を装着した場合を示す図である。
【図７】図７は、本発明における乳癌の放射線治療用補助具モデルを形成するためのモデル処理システムのブロック図を示す。
【図８】図８は、本発明における乳癌の放射線治療用補助具モデルを形成するステップのフローチャートを示す。
【図９】図９は、本発明において乳癌の放射線治療用補助具を形成すべく、女性患者が所定の姿勢で３Ｄスキャン装置によりスキャンされる場合を示す図である。
【図１０】図１０Ａ〜Ｇは、本発明の一実施例における図８記載のステップの一段階に対応して生成される乳癌の放射線治療用補助具モデルを示す。
【図１１Ａ】図１１Ａは、本発明の一実施例において処理される乳癌の放射線治療用補助具の３Ｄモデルの断面図を示す。
【図１１Ｂ】図１１Ｂは、本発明の一実施例において処理される乳癌の放射線治療用補助具の３Ｄモデルの断面図を示す。
【図１１Ｃ】図１１Ｃは、本発明の一実施例において処理される乳癌の放射線治療用補助具の３Ｄモデルの断面図を示す。
【図１２】図１２は、女性患者の心臓吸収線量を測定した折れ線グラフであり、女性患者が本発明における乳癌の放射線治療用補助具を装着した場合／していない場合に測定したデータを示す。
【発明を実施するための形態】
【００１４】
ここで、本発明の具体的実施例及び視点について詳細に記載する。なお、これらの記載は本発明の構造又はステップのフローを解釈し、説明するためのものであって、本発明の請求の範囲を限定するものではない。よって、明細書内の具体的実施例及び好ましい実施例以外にも、本発明はその他の異なる実施例において幅広く実行可能である。以下では特定の具体的実施例を挙げて本発明の実施形態につき説明するが、当業者であれば、本明細書に開示の内容から本発明の効果及び利点を容易に理解可能である。また、本発明はその他具体的実施例での運用及び実施も可能である。本明細書で記載する各詳細事項は必要に応じて適用すればよく、且つ、本発明の主旨から逸脱しないことを前提に、各種の異なる補足又は変更が可能である。
【００１５】
図２は、本発明の一実施例における乳癌の放射線治療用補助具２ａの平面図を示す。前記補助具２ａはカップ体２１を含み、カップ体２１は基部２１２及び圧縮部２１１からなる。圧縮部２１１は基部２１２に接続されており、且つ、基部２１２からカップ体２１の軸方向Ｄａに沿って延伸している。軸方向Ｄａは、図２を上方から見た平面に垂直な方向、或いは基部２１２の法線と平行な方向と定義される。カップ体２１は３Ｄプリントに適した材料、例えば、ポリ乳酸（Ｐｏｌｙｌａｃｔｉｃ  Ａｃｉｄ）、アクリルニトリル・ブタジエン・スチレン（Ａｃｒｙｌｏｎｉｔｒｉｌｅ  Ｂｕｔａｄｉｅｎｅ  Ｓｔｙｒｅｎｅ）、熱可塑性エラストマー（Ｔｈｅｒｍｏｐｌａｓｔｉｃ  Ｅｌａｓｔｏｍｅｒ）、透明熱可塑性エラストマー（Ｔｒａｎｓｐａｒｅｎｔ  Ｔｈｅｒｍｏｐｌａｓｔｉｃ  Ｅｌａｓｔｏｍｅｒ）又はその他類似の材料で作製されるが、これらに限らない。カップ体２１は女性の乳房を支持するために、比較的堅固（圧縮及び胸型形成が可能な程度に堅固）な材料、例えば、ポリ乳酸（Ｐｏｌｙｌａｃｔｉｃ  Ａｃｉｄ）、アクリルニトリル・ブタジエン・スチレン（Ａｃｒｙｌｏｎｉｔｒｉｌｅ  Ｂｕｔａｄｉｅｎｅ  Ｓｔｙｒｅｎｅ）、熱可塑性エラストマー（Ｔｈｅｒｍｏｐｌａｓｔｉｃ  Ｅｌａｓｔｏｍｅｒ）、又は透明熱可塑性エラストマー（Ｔｒａｎｓｐａｒｅｎｔ  Ｔｈｅｒｍｏｐｌａｓｔｉｃ  Ｅｌａｓｔｏｍｅｒ）等の材料を含む。また、カップ体２１は、例えば、治療時に発生する応力、範囲４５０〜７００ｋｇの外力、範囲４〜７ｋｇ／ｍｍ２の張力強度に耐え得るだけの伸張特性、約１〜４ｋｇ／ｍｍ２の引張強さ、及び範囲４９０〜５００％の引張率といった機械特性を有する。
【００１６】
基部２１２と圧縮部２１１は、約２〜１５ｍｍの範囲の厚さを有する。好ましい実施例において、基部２１２と圧縮部２１１の厚さは約３〜１０ｍｍである。貫通孔（第１開口）２２１は、切断平面（ｃｕｔｔｉｎｇ  ｐｌａｎｅ）、即ち第１切断面２２０でアシストしつつ圧縮部２１１を部分的に除去することで形成される。環状表面２２０ｓの寸法であるＷｃｓは、貫通孔（第１開口）の位置及び圧縮部２１１における外表面２１１ｓの形状に応じて変化させればよい。患者の身体的特徴によって、貫通孔（第１開口）２２１の寸法は３〜４５ｃｍとすればよい。乳癌の放射線治療用補助具２ａのうち貫通孔（第１開口）２２１とは反対側の面には第２開口２３１が形成されている。第２開口２３１の寸法は、乳癌の放射線治療用補助具２ａの大きさにより略決定される。上記の貫通孔（第１開口）２２１とは、圧縮部２１１の一部を除去することで形成される開口をいう。開口の形状は、女性患者の乳房の各種断面における閉鎖環の一つであるが、閉鎖環は必ずしも円形であるとは限らない。
【００１７】
乳癌の放射線治療用補助具２ａは、通常は女性患者の乳房の輪郭と一致する内表面を有する。前記貫通孔（第１開口）２２１の位置は、大まかにいえば図２に示す距離ＷｍｓとＷｍａにより定義される。このうち、Ｗｍｓとは、環状表面２２０ｓの外側の輪郭と補助具２ａの胸骨側（ｍｉｄｓｔｅｒｎａｌ  ｓｉｄｅ）２１２１に位置する辺縁との最短距離をいう。また、Ｗｍａとは、環状表面２２０ｓの外側の輪郭と補助具２ａの腋窩線側（ｍｉｄａｘｉａｌｌｙ  ｓｉｄｅ）２１２２の辺縁との最短距離をいう。乳房の輪郭とは乳房の形状のことであり、特に、乳房の外縁に形成される表面又は形状のことである。女性患者の乳房により形成される画像情報（３Ｄスキャン装置によって女性患者の乳房をスキャンして得られる画像としてもよい）には、３Ｄモデルの構築に使用可能な女性患者の乳房についての幾何データが含まれている。そこで、一例を挙げると、スキャン装置で撮影した３Ｄモデルや画像には複数の曲線が含まれている。各曲線は高さ或いは深さの等しい点から構成されるが、各曲線の高さ或いは深さを他の曲線の高さ或いは深さとは異ならせることで、乳房形状の高低領域が表される。また、より広義に定義される別の例では、任意の角度Θを有する複数の平行な平面から複数の曲線を定義可能であり、各平面により前記３Ｄモデルが切断される。角度Θは、平行な平面の法線と前記３Ｄモデルの軸線により定義され、０〜９０度の範囲とすればよい。
【００１８】
図２に示すように、乳癌の放射線治療用補助具２ａは複数の固定ベルト孔２２２、２２３、２２４及び２２５を更に含み、固定ベルトを固定ベルト孔に通すことで、補助具を患者の体に固定可能となる。固定ベルト孔２２２及び２２３は基部２１２の胸骨側２１２１寄りに位置し、固定ベルト孔２２４及び２２５は基部２１２の腋窩線２１２２側に位置する。即ち、乳癌の放射線治療用補助具２ａが女性患者の左側の乳房１１に装着される場合（図６参照）、固定ベルト孔２２４及び２２５は女性患者の胸前方又は胴体の外側寄りに位置し、固定ベルト孔２２２及び２２３は女性患者の胸前方又は胴体中央寄りに位置する。
【００１９】
このほか、乳癌の放射線治療用補助具２ａが装着されると、固定ベルト孔２２２及び２２４は女性患者の胸前方上半部寄りに位置し、固定ベルト孔２２３及び２２５は女性患者の胸前方下半部寄りに位置する。固定ベルト、サスペンダー、止め輪、或いはその他類似の機能部品が固定ベルト孔２２２、２２４に通されるとともに、固定ベルト、サスペンダー、止め輪或いはその他類似の機能部品が固定ベルト孔２２３、２２５にも同様に通されることで、乳癌の放射線治療用補助具２ａを患者の胸前方に固定可能となる。
【００２０】
図３Ａは、乳癌の放射線治療用補助具２ｂの平面図を示す。乳癌の放射線治療用補助具２ｂは、滑り止め固定ベルトを通すことが可能な複数の滑り止め固定ベルト孔２２６及び２２７を更に含む点を除き、図２に示した補助具と類似している。滑り止め固定ベルト孔２２６及び２２７は、補助具２ｂの圧縮部２１１に位置している。
【００２１】
２つの滑り止め固定ベルト孔２２６及び２２７は、それぞれ固定ベルト孔２２４及び２２５に隣接している。また、滑り止め固定ベルト孔２２６及び２２７は、基部２１２の腋窩線側２１２２に隣接している。乳癌の放射線治療用補助具２ｂが女性患者の左側の乳房１１に装着されると、滑り止め固定ベルト孔２２６及び２２７は患者の胸前方外側に近接する（図６参照）。固定ベルト、サスペンダー、止め輪、又はその他類似の機能部品を滑り止め固定ベルト孔２２６、２２７に通すことで、患者の乳房１１を放射線治療用補助具２ｂに固定するにあたりアシスト可能となる。
【００２２】
図３Ｂは、本発明の他の実施例における乳癌の放射線治療用補助具２ｂの平面図を示す。２つの補足固定ベルト２４１、２４２が追加され、且つ滑り止めベルト２５が締結されていることを除き、当該補助具は図３Ａに示した乳癌の放射線治療用補助具２ｂと同様の構造を有する。このうち、滑り止めベルト２５は、補助具２ｂに対する患者の乳房１１の固定をアシストするものである。
【００２３】
このほか、乳癌の放射線治療用補助具２ｂが女性患者１に装着された場合、腋窩線側の乳房は腋窩の皮膚により引っ張られやすいことから、補助具２ｂの圧縮部２１１から容易に抜け落ちてしまう。そこで、腋窩線側２１２２寄りの滑り止めベルト２５によって腋窩線側の乳房の抜け落ちを回避可能としている。
【００２４】
図４は、本発明の一実施例における乳癌の放射線治療用補助具２ｃの底面図であり、補助具２ｃの内表面側から見た図を示している。本実施例における乳癌の放射線治療用補助具２ｃは、更に金属−ナノ粒子層３１を含む点を除き、上述した補助具と類似の構造を有している。金属−ナノ粒子層３１は、前記乳癌の放射線治療用補助具２ｃの内表面に形成されている。女性患者が乳癌の放射線治療用補助具２ｃを装着すると、補助具の内表面が女性患者の皮膚に接触する。金属−ナノ粒子層３１は無毒であり、人体に吸収されることなく乳房の消毒に適用可能な材料を含有している。好ましい実施例において、金属−ナノ粒子層３１は、例えば、金、銀、銅、チタン及びその他の金属又は非金属の粒子を含有可能である。
【００２５】
乳癌患者は、一連の放射線治療（患者の状況に応じて通常は１０〜３０回）を必要とする可能性がある。すると、治療のたびに、患者の乳房には例えば放射線治療に起因する皮膚又は乳房組織の炎症といった不調が生じる恐れがある。しかし、金属−ナノ粒子層３１によれば、殺菌や、炎症を起こした傷口の回復を加速可能なことから、治療部位の皮膚又は組織の疼痛が軽減される。金属−ナノ粒子層３１は、殺菌のために銀金属を含んでもよい。また、金属−ナノ粒子層３１は、銀金属層或いは銀化合物から形成されてもよい。好ましい実施例において、金属−ナノ粒子層３１は必要性に応じて、金、銅、アルミニウム、チタン等の材料を含んでもよい。
【００２６】
図５は、本発明の他の実施例における乳癌の放射線治療用補助具２ｄの底面図であり、補助具２ｄの内表面側から見た図を示している。本実施例における乳癌の放射線治療用補助具２ｄは、放射線強化層３２を更に含む点を除き、上記の図４で示した補助具２ｃと類似の構造を有している。放射線強化層３２は、前記乳癌の放射線治療用補助具２ｃの内表面に形成されており、その内表面が女性患者の皮膚に接触する。
【００２７】
放射線強化層３２は、金属−ナノ粒子層３１と類似の材料を含み、放射線のパワー又は効果を強化可能とする。金属−ナノ粒子層３１と放射線強化層３２は同じ厚さを有する。このうち、金属−ナノ粒子層３１は前記乳癌の放射線治療用補助具２ｄの内表面に形成されており、患者の乳房のうち健康な組織を被覆可能である。これに対し、放射線強化層３２は乳癌の放射線治療用補助具２ｄの内表面に形成されるとともに、患者の乳癌細胞領域に分布している。特記事項として、放射線強化層３２は癌細胞の近傍領域に配置され、金属−ナノ粒子層３１は健康細胞を被覆するために用いられる。金属−ナノ粒子層３１と放射線強化層３２はいずれも非毒性であり、且つ人体には吸収されない。金属−ナノ粒子層３１と放射線強化層３２のパターン配置は、患者個々の乳癌細胞及び健康細胞の分布状況に応じて補助具２ｄの内表面に設計すればよい。
【００２８】
図６は、本発明において女性患者１が乳癌の放射線治療用補助具２ａを装着し、仰向け姿勢で放射線治療を受ける場合を示す図である。乳癌の放射線治療用補助具２ａは、乳癌の部位に応じて女性患者の左側又は右側の乳房を支持するために用いられる。好ましい実施例では、前記乳癌の放射線治療用補助具２ａは女性患者１の左側の乳房を支持するために用いられる。
【００２９】
図６に示すように、女性患者１が乳癌の放射線治療用補助具２ａを装着し、仰向け姿勢で放射線治療を受ける場合、女性患者１の一方の乳房１１が補助具２ａの貫通孔（第１開口）２２１に通される。第２切断面２３０が女性患者１の胸前方に接触し、圧縮部２１１が乳房１１の底部を押圧することで、乳房の上半部が補助具２ａの外部に押し出される。圧縮部２１１は、患者の乳房の治療領域から心臓及び肺までの距離を維持するよう乳房を支持可能なことから、重力によって患者の乳房の治療領域が下方に引っ張られることがなくなる。なお、乳房１１の底部とは、患者の乳房のうち胸前方寄りの部分をいう。
【００３０】
通常、貫通孔（第１開口）２２１の寸法は凹陥面である第２開口２３１よりも小さい。
【００３１】
ここで、乳癌の放射線治療用補助具２ａ、２ｂ、２ｃ又は２ｄを女性患者１に装着したとき、患者の乳房上に位置する基準点Ｍと患者の心臓との最小距離をＸ３とする場合を考える。仰向け姿勢をとったとしても、乳癌の放射線治療用補助具２ａ、２ｂ、２ｃ又は２ｄは患者の乳房１１を良好に支持可能なことから、図６の距離Ｘ３は、図１で定義した距離Ｘ１やＸ２よりも大きくなる。そのため、患者の乳房内部に位置する癌細胞を有し且つ放射線治療を要する部位については放射線照射にしっかりと曝しつつ、患者の心臓及び肺とは安全な距離を保つことができる。
【００３２】
図７は、本発明における乳癌の放射線治療用補助具モデルを形成するためのモデル処理システムのブロック図を示す。乳癌の放射線治療用補助具２ａ、２ｂ、２ｃ又は２ｄは、３Ｄプリント技術によって製造可能である。３Ｄプリンタは、乳癌の放射線治療用補助具モデルである３Ｄモデルに基づいて乳癌の放射線治療用補助具２ａ、２ｂ、２ｃ又は２ｄを形成可能である。３Ｄプリントとは、３次元（３Ｄ）オブジェクトを作製するための方法ステップであり、当該オブジェクトは、積層又は硬化によって材料を互いに結合し、コンピュータにて制御することで作製される。３Ｄプリントモデルは、ＣＡＤソフトウェアパッケージや３Ｄスキャナにより生成可能である。３Ｄスキャンによれば、実物の形状、外表面等に関する電子データが生成されて分析可能となる。そして、３Ｄスキャンで取得したデータをベースにすることで、スキャンされた物体の３次元コンピュータモデルを生成できる。
【００３３】
前記乳癌の放射線治療用補助具モデルは、コンピュータ読み取り可能媒体に蓄積される３Ｄモデルデータである。前記３Ｄモデルは、３Ｄ座標系における多数の多角形を組み合わせて構築されるが、各多角形は三角形としてもよい。３Ｄプリンタは、形成された乳癌の放射線治療用補助具モデルを受信して処理することで、３次元の乳癌の放射線治療用補助具２ａ、２ｂ、２ｃ又は２ｄをプリント可能である。乳癌の放射線治療用補助具の初期３Ｄデータは３Ｄスキャナにより生成可能であるが、詳細なプロセスについては後に述べる。モデル処理システム５は初期３Ｄモデルを処理することで、３Ｄプリント用の乳癌の放射線治療用補助具モデルを形成可能である。
【００３４】
図７に示すように、モデル処理システム５は、処理モジュール５１、蓄積モジュール５２、３Ｄモデル生成モジュール５３、底部除去モジュール５４、及び先端部除去モジュール５５を含む。
【００３５】
前記蓄積モジュール５２、３Ｄモデル生成モジュール５３、底部除去モジュール５４及び先端部除去モジュール５５は、前記処理モジュール５１に電気的に接続されている。
【００３６】
３Ｄモデル生成モジュール５３は３Ｄモデルの生成に用いられる。３Ｄモデルは上述した初期３Ｄモデルとも称される。初期３Ｄモデルは３Ｄスキャン装置により生成されて、蓄積モジュール５２に伝送及び蓄積される。即ち、３Ｄスキャン装置は女性患者の胸部及び乳房の画像を取得するとともに、これに基づき３Ｄモデルを構築する。処理モジュール５１は初期３Ｄモデルを読み込むとともに、初期３Ｄモデルに基づいて３Ｄモデルを生成するよう３Ｄモデル生成モジュール５３を制御する。３Ｄモデルは、乳癌の放射線治療用補助具モデルを形成するよう更に処理される。
【００３７】
３Ｄモデルは、対応する女性患者の乳房及び胸部の輪郭とみなされる部分である底部、基部、圧縮部及び先端部を含む。圧縮部は基部と先端部の間に接続され、底部は基部に接続されるとともに基部を囲繞している。圧縮部と先端部の双方によって乳房の輪郭が形成され、底部と基部の双方によって胸前方の輪郭が形成される。基部及び圧縮部は、乳癌の放射線治療用補助具２ａ、２ｂ、２ｃ及び２ｄの基部２１２及び圧縮部２１１のことである。
【００３８】
先端部除去モジュール５５は、先端部を除去して貫通孔（第１開口）及び第１切断面を形成する。先端部除去モジュール５５は切断平面（図示しない）を予め定義しておく。切断平面は、３Ｄモデルが切断されるよう圧縮部と先端部の間に横向きに配置される（ｔｒａｎｓｖｅｒｓｅ  ａｒｒａｎｇｅｍｅｎｔ）。上述したように、切断平面は３Ｄモデルの軸方向に対し垂直でもよいし、軸方向に対して９０度〜１８０度の角度を有してもよい。先端部除去モジュール５５は、切断平面に基づいて先端部を除去する。第１切断面は共面であり、且つ、切断平面と第１切断面は重畳している。
【００３９】
一部実施例では、３Ｄモデルは更に圧縮部から先端部に至る軸方向において最大曲率を定義する特定点（例えば切断点）を含み、切断平面が切断点を通過する。或いは、３Ｄモデルは移行領域を含む。移行領域は、圧縮部の一部と先端部が隣接し合う部分によって定義される。
【００４０】
圧縮部から先端部に至る軸方向において定義される移行領域上の任意の点の曲率は、前記軸方向において定義される移行領域外部の任意の点の曲率よりも大きい。
【００４１】
一部実施例では、圧縮部及び先端部における任意の点と比較して、移行領域上の少なくとも１つの点は軸方向において最大曲率を有する。移行領域の軸方向における曲率は、最大曲率に等しいか、或いは最大曲率の９０％以上である。例えば、移行領域上の点は軸方向における最小曲率を有することが可能であるが、移行領域上の軸方向における任意の点と比較して、移行領域上の点の最小曲率は最大曲率よりも１０％小さい。
【００４２】
このほか、モデル処理システム５は、底部除去モジュール５４、硬化モジュール５６、滑り止めベルト孔形成モジュール５７、固定ベルト孔形成モジュール５８及び出力モジュール５９を更に含む。これらは処理モジュール５１に電気的に接続されて制御される。
【００４３】
底部除去モジュール５４は３Ｄモデルを処理して底部を除去し、第２切断面及び第２開口を形成する。第２切断面は基部のうち圧縮部から離開する底部に位置し、第２開口は第２切断面に囲繞されている。第２切断面と第２開口は、乳癌の放射線治療用補助具２ａ、２ｂ、２ｃ及び２ｄの第２切断面２３０及び第２開口２３１とも称される。
【００４４】
硬化モジュール５６は３Ｄモデルを処理し、押圧（引張）によって圧縮部と基部を硬化させる。好ましい実施例において、硬化モジュール５６は、３Ｄモデルの内表面の法線方向に圧縮部と基部を押圧することで所望の設計厚さを形成する。所望の設計厚さとは、乳癌の放射線治療用補助具２ａ、２ｂ、２ｃ及び２ｄの圧縮部２１１及び基部２１２の実際の厚さのことをいう。設計厚さと実際の厚さは、３〜１０ｍｍの範囲とすればよい。即ち、硬化モジュール５６は、３Ｄモデルの圧縮部及び基部を０ｍｍ（初期位置）から−３〜−１０ｍｍまで押圧すればよい。ここで、マイナス記号（−）は、押圧の方向が３Ｄモデルの内部に向かうことを表す。
【００４５】
一部実施例において、硬化モジュール５６は、３Ｄモデルの圧縮部と基部を−０．１ｃｍ（偏移位置）から−０．６ｃｍまで押圧すればよい。この場合、硬化モジュール５６は、圧縮部と基部を内側に０．１ｃｍ偏移（収縮）させた後、収縮した圧縮部と基部を内側に押し出すことで３〜１０ｍｍの厚さを形成する。この場合、３Ｄモデルにより作製される乳癌の放射線治療用補助具２ａ、２ｂ、２ｃ及び２ｄはより小さくなる。ある特定の患者に対しては、小型の乳癌放射線治療用補助具２ａ、２ｂ、２ｃ及び２ｄを特別に設計して適用する。例えば、患者が乳房温存手術（ＢＣＳ）を受けており、且つ乳房の一部（乳房の内部組織）が切除されている場合、更に放射線治療を要する乳房はより緩んだ構造となっている可能性がある。オーダーメイド設計による小型の乳癌放射線治療用補助具２ａ、２ｂ、２ｃ及び２ｄは、緩んだ乳房構造を支持するのに適している。
【００４６】
滑り止めベルト孔形成モジュール５７は３次元（３Ｄ）モデルを処理し、補助具の基部に滑り止めベルトを通すための複数の滑り止めベルト孔を形成する。滑り止めベルト孔とは、乳癌の放射線治療用補助具２ａ、２ｂ、２ｃ及び２ｄの滑り止め固定ベルト孔２２６及び２２７のことである。
【００４７】
固定ベルト孔形成モジュール５８は３Ｄモデルを処理し、補助具の基部に固定ベルトを通すための複数の固定ベルト孔を形成する。固定ベルト孔とは、乳癌の放射線治療用補助具２ａ、２ｂ、２ｃ及び２ｄの固定ベルト孔２２２、２２３、２２４及び２２５のことである。
【００４８】
モデル処理システム５で３Ｄモデルを処理すると、処理された３Ｄモデル（即ち、乳癌の放射線治療用補助具モデル）は、乳癌の放射線治療用補助具２ａ、２ｂ、２ｃ又は２ｄに類似した幾何学的構造及び寸法を有する。処理モジュール５１は、処理された３Ｄモデルを蓄積モジュール５２に蓄積する。出力モジュール５９は、３Ｄプリントを実行可能な３Ｄプリント装置６に接続されている。処理モジュール５１は、処理された３Ｄモデルを３Ｄプリントに用いられる出力モジュール５９を通じて３Ｄプリント装置６に出力し、乳癌の放射線治療用補助具２ａ、２ｂ、２ｃ又は２ｄを形成する。
【００４９】
図８は、本発明における乳癌の放射線治療用補助具モデルを形成するステップのフローチャートを示す。
【００５０】
一実施例において、ステップＳ４０１では、医者（又は使用機器）が３Ｄスキャナを用いて所定の姿勢状態における女性患者の乳房及び胸部をスキャンし、初期スキャンデータ（乳房及び／又は胸部画像）を形成する。本発明によれば、図９に示すように、女性患者１は所定の姿勢で３Ｄスキャン装置４によりスキャンされる。女性患者１がとり得る姿勢としては、例えば、胴体のうち背中部分が垂直軸線Ｙに対して角度αを形成するよう、両腕を頭部に向けて伸ばした状態で胴体を前屈させる。ここで、αは約３０〜９０度とすればよい。スキャン装置４（例えば３Ｄスキャナ）は、医者によって胸部全体を巡るように移動して、女性患者１の胸部（又は胴体）の３Ｄ画像情報を収集する。
【００５１】
ステップＳ４０３において、スキャン装置４は患者の胸部の３Ｄモデルデータを生成して初期３Ｄモデルを形成する。初期３Ｄモデルの３Ｄモデルデータは、モデル処理システム５に伝送されることで更に処理可能となる。
【００５２】
ステップＳ５０１において、スキャン装置４により生成された３Ｄモデルデータを用いて３Ｄモデルが構築される。また、３Ｄモデルの形成にあたり、モデル処理システム５によって初期３Ｄモデルの影や暗い部分、又は欠けを消去するよう修正してもよい。
【００５３】
ステップＳ５０３において、図７に示すモデル処理システム５の底部除去モジュール５４によって、女性患者の３Ｄモデルの底部、右乳房及び後胸部を除去し、乳癌の放射線治療用補助具の初期３Ｄモデル３３（図１０Ｃ）を形成する。一部実施例において、乳癌の放射線治療用補助具の初期３Ｄモデルは更に処理されて、平滑化又は形状修正された３Ｄモデル３４となる（図１０Ｄ）。
【００５４】
ステップＳ５０５において、硬化モジュール５６は先端部、圧縮部及び基部を引張により硬化することで、硬化した乳癌の放射線治療用補助具の３次元モデル３５（図１０Ｅ）を形成する。他の実施例では、先端部を予め除去してから圧縮部及び基部を硬化すればよい。先端部、圧縮部及び基部は、硬化した乳癌の放射線治療用補助具の３Ｄモデル３５（図１０Ｅ）における内表面の法線方向に引っ張られることで所望の厚さを形成する。このほか、硬化した乳癌の放射線治療用補助具の３Ｄモデル３５には、第２切断面及び第２開口が形成されている。上述したように、第２切断面は基部のうち圧縮部から離開する底部に位置し、第２開口は第２切断面に囲繞されている。
【００５５】
ステップＳ５０７において、先端部除去モジュール５５は、移行領域３５０に基づいて先端部を除去し、貫通孔（第１開口）を有する乳癌の放射線治療用補助具の３Ｄモデル３６（図１０Ｆ）を形成する。
【００５６】
ステップＳ５０９において、固定ベルト孔生成モジュール５８が基部に固定ベルト孔を形成することで、乳癌の放射線治療用補助具の最終３Ｄモデル３７（図１０Ｇ）が形成される。また、ステップＳ５１１において、滑り止めベルト孔形成モジュール５７が圧縮部に滑り止めベルト孔を形成してもよい。
【００５７】
ステップＳ５１３において、出力モジュール５９は処理済みの３Ｄモデル（例えば、３Ｄモデル３６や３７等の胸部支持装置モデル）を３Ｄプリント装置６がアクセス及びプリント可能な特定の３Ｄプリントデータに変換する。そして、出力モジュール５９は、変換した３Ｄプリントデータを３Ｄプリント装置６に送信する。
【００５８】
なお、上述したステップの順序は説明のためのものにすぎず、本発明の範囲を制限する主旨ではない。乳癌の放射線治療用補助具モデルの形成ステップは、状況に応じて各実施例内で変化させればよい。
【００５９】
ステップＳ６０１において、３Ｄプリント装置６は３Ｄプリントデータ（胸部３Ｄ画像）を受信し、プリントする３Ｄプリントデータの構成を設定する。例えば、構成には、プリント過程や動作空間に関わる患者の身体的特徴パラメータ、姿勢及び位置が含まれる。
【００６０】
一実施例において、共面である第１切断面２２０は、プリント過程開始時の３Ｄプリント装置６における動作空間の初期平面と一致している。この場合、第１切断面２２０から第２切断面２３０までを、３次元方式で乳癌の放射線治療用補助具（図１０Ｆ）としてプリント可能である。また、３Ｄプリント装置６は自動的に複数の支持柱を追加可能であり、これら支持柱は初期平面と圧縮部２１１の外表面２１１ｓとの間に配置される。また、乳癌の放射線治療用補助具のプリント過程では基部２１２をプリント可能である。支持柱はプリント過程で圧縮部２１１と基部２１２を支持するためのものであり、乳癌の放射線治療用補助具の完成後に除去可能である。
【００６１】
ステップＳ６０３において、３Ｄプリント装置６は、乳癌の放射線治療用補助具モデルに対応する３Ｄプリントデータに基づいて、乳癌の放射線治療用補助具のプリントを開始する。
【００６２】
図１０Ａ〜Ｇは、本発明の一実施例における図８記載のステップの各段階に対応して生成される乳癌の放射線治療用補助具モデルを示す。
【００６３】
図１０Ａは、ステップＳ４０３（図８）で述べたスキャンされた３Ｄ画像情報に基づく女性患者の胸部の初期３Ｄモデル３１を示す。
【００６４】
図１０Ｂは、３Ｄモデル生成モジュール５３がステップＳ５０１（図８）で述べた３Ｄモデルデータに基づき生成する女性患者の胸部及び乳房３２の３Ｄモデルを示す。３Ｄモデル３２は、先端部２６１、底部２６２、圧縮部２１１及び基部２１２を含む。底部２６２と基部２１２の双方によって女性患者の胸部と一致する輪郭が形成される。また、圧縮部２１１と先端部２６１の双方によって女性患者の乳房と一致する輪郭が形成される。
【００６５】
図１０Ｃは、ステップＳ５０３（図８）で述べた前述の３Ｄモデル３２から底部２６２、右乳房及び後胸部を除去した後の乳癌の放射線治療用補助具の初期３Ｄモデル３３を示す。最終的に、乳癌の放射線治療用補助具の初期３Ｄモデル３３は、基部２１２、圧縮部２１１及び先端部２６１のみを含むことになる。
【００６６】
図１０Ｄは、乳癌の放射線治療用補助具の初期３Ｄモデル３３の基部２１２が更に処理されて形成された、より平滑化された乳癌の放射線治療用補助具の初期３Ｄモデル３４を示している。
【００６７】
図１０Ｅは、硬化モジュール５６（図７）がステップＳ５０５（図８）で述べた先端部２６１、圧縮部２１１及び基部２１２を硬化した後の硬化された乳癌の放射線治療用補助具の３Ｄモデル３５を示す。
【００６８】
図１０Ｆは、ステップＳ５０７（図８）で述べた定義済みの移行領域３５０により先端部２６１を除去して形成される貫通孔（第１開口）を有する乳癌の放射線治療用補助具の３Ｄモデル３６を示す。好ましい実施例において、先端部２６１は移行領域３５０と交わる平面に沿って除去される。切断平面は、３つの点３５１、３５２及び３５３により定義される。
【００６９】
図１０Ｇは、ステップＳ５０９（図８）で言及したような基部に固定ベルト孔２２２、２２３、２２４及び２２５が形成された乳癌の放射線治療用補助具の最終３Ｄモデル３７を示す。
【００７０】
以上述べたように、乳癌の放射線治療用補助具２ａは図１０に示すように３Ｄモデルで構成される。３Ｄモデルは、凹陥した内表面を有するカップの一部形状を形成するが、凹陥した内表面は女性患者が所定の姿勢（図９参照）をとった場合の乳房の輪郭と一致している。貫通孔（第１開口）はカップの一部を除去することで形成され、女性患者の乳房の一部が当該貫通孔（第１開口）に通される。
【００７１】
図１１Ａ〜図１１Ｃは、本発明の一実施例において処理される乳癌の放射線治療用補助具の３Ｄモデルの断面図を示す。図１１Ａは、図１０（Ｅ）で示す硬化した乳癌の放射線治療用補助具の３Ｄモデル３５の横断面図である。図１１Ｂは、図１０（Ｆ）で示す貫通孔（第１開口）を有する乳癌の放射線治療用補助具の３Ｄモデル３６の横断面図である。図１１Ｃは、貫通孔（第１開口）を有する乳癌の放射線治療用補助具の３Ｄモデル３６を線１１Ｃ−１１Ｃを通過する切断面からみた横断面図である。貫通孔（第１開口）を有する乳癌の放射線治療用補助具の３Ｄモデル３６は、図１０（Ｅ）に示すように、硬化した乳癌の放射線治療用補助具の３Ｄモデル３５の一部（点線で区画した先端部２６１と称される部分）を除去することで形成される。貫通孔（第１開口）を有する乳癌の放射線治療用補助具の３Ｄモデル３６は、軸方向（即ち、図１１Ｂ〜図１１Ｃの方向Ｄａ）において定義される高さＨ１を有する。高さＨ１は、圧縮部２１１に対し軸方向Ｄａに先端部２６１を加えた高さに等しい。また、除去された部分（即ち、先端部２６１）は軸方向Ｄａにおいて定義される高さＨ２を有する。高さＨ２と高さＨ１の比は、略１／４以上である。
【００７２】
切断平面Ｓに対する圧縮部２１１の下側について定義される角度θ１は、約８０〜１７０度の範囲とされる。また、角度θ２は切断平面Ｓの横方向側（腋窩線側２１２２寄りの側）に対する圧縮部２１１について定義され、当該角度θ２は約８０〜１７０度の範囲とされる。角度θ３は、切断平面Ｓに対する圧縮部２１１の上側について定義され、角度θ３は約８０〜１７０度の範囲とされる。図１１Ｂ及び１１Ｃの貫通孔（第１開口）を有する乳癌の放射線治療用補助具の３Ｄモデル３６では、除去された部分（即ち、先端部２６１）を点線で示している。
【００７３】
図１２は、女性患者の心臓吸収線量を測定した折れ線グラフであり、女性患者が本発明における乳癌の放射線治療用補助具を装着した場合／していない場合に測定したデータを示す。折れ線グラフは、発明者が収集した実際の統計データを示している。これらのデータは、放射線治療を受けた女性乳癌患者の心臓吸収線量を収集したものである。４本の折れ線は、それぞれ４名の女性個体における心臓吸収線量を示している。各折れ線は２つのデータ点を有し、左側が放射線治療時に乳癌の放射線治療用補助具を何も装着しなかった場合の女性患者の心臓吸収線量、右側が放射線治療時に乳癌の放射線治療用補助具を装着した場合の同一女性の心臓吸収線量を示している。４本の折れ線から明らかなように、放射線治療時に胸部支持装置を装着した女性患者は、乳癌の放射線治療用補助具を装着しなかった患者に比べて心臓吸収線量が明らかに低かった、
【００７４】
簡潔に述べると、本発明の実施例で提示した乳癌の放射線治療用補助具によれば、乳癌の放射線治療時に乳癌患者の健康な器官組織が放射線の照射を受けることのないよう効果的に保護される。このほか、本発明の実施例で述べた乳癌の放射線治療用補助具モデルを形成する方法及びシステムによれば、乳癌の放射線治療用補助具を容易且つ簡便に製造するための措置が提供される。
【００７５】
以上は本発明の好ましい実施例である。当業者であれば、これらが本発明を説明するためのものであって、本発明が主張する権利範囲を限定するものではないことを理解し得る。なお、権利範囲については添付の特許請求の範囲及びこれと同等の分野により決定される。当業者が本件特許の主旨又は範囲を逸脱しない範囲で実施する変更及び追加は、いずれも本発明が開示する主旨のもとで完了される等価の変形又は設計に属し、後述の特許請求の範囲に含まれる。
【符号の説明】
【００７６】
１  女性患者
１１  乳房
１２  心臓
１３  肺
１１１  ターゲット領域
Ｍ  基準点
Ｘ１、Ｘ２  距離
２ａ  乳癌の放射線治療用補助具
Ｄａ  軸方向
２１  カップ体
２１１  圧縮部
２１１ｓ  圧縮部の外表面
２１２  基部
２２０ｓ  環状表面
２２１  貫通孔（第１開口）
２２２、２２３、２２４、２２５  固定ベルト孔
２３１  第２開口
２１２１  胸骨側
２１２２  腋窩線側
２ｂ  乳癌の放射線治療用補助具
２２６、２２７  滑り止め固定ベルト孔
２３０  第２切断面
２４１、２４２  補足固定ベルト
２５  滑り止めベルト
２ｃ  乳癌の放射線治療用補助具
２２０  第１切断面
３１  金属−ナノ粒子層
２ｄ  乳癌の放射線治療用補助具
３２  放射線強化層
Ｘ３  距離
３５１、３５２、３５３  切断面を定義する点
５  モデル処理システム
５１  処理モジュール
５２  蓄積モジュール
５３  ３Ｄモデル生成モジュール
５４  底部除去モジュール
５５  先端部除去モジュール
５６  硬化モジュール
５７  滑り止めベルト孔形成モジュール
５８  固定ベルト孔形成モジュール
５９  出力モジュール
４  スキャン装置
Ｓ４０１、Ｓ４０３、Ｓ５０１、Ｓ５０３、Ｓ５０５、Ｓ５０７、Ｓ５０９、Ｓ５１１、Ｓ５１３、Ｓ６０１、Ｓ６０３  ステップ
６  ３Ｄプリント装置
Ｙ  垂直軸線
α  夾角
３１  女性患者の胸部の初期３Ｄモデル
３２  女性患者の胸部及び乳房の３Ｄモデル
２６１  先端部
２６２  底部
３３  乳癌の放射線治療用補助具の初期モデル
３４  平滑化又は形状修正された乳癌の放射線治療用補助具モデル
３５  硬化した乳癌の放射線治療用補助具の３次元（３Ｄ）モデル
３６  貫通孔（第１開口）を有する乳癌の放射線治療用補助具の３Ｄモデル
３７  乳癌の放射線治療用補助具の最終３Ｄモデル
Ｓ  切断平面
Ｈ１、Ｈ２  高さ
【図１Ａ】
2018167020.tif 000003
【図１Ｂ】
2018167020.tif 000004
【図２】
2018167020.tif 000005
【図３Ａ】
2018167020.tif 000006
【図３Ｂ】
2018167020.tif 000007
【図４】
2018167020.tif 000008
【図５】
2018167020.tif 000009
【図６】
2018167020.tif 000010
【図７】
2018167020.tif 000011
【図８】
2018167020.tif 000012
【図９】
2018167020.tif 000013
【図１０】
2018167020.tif 000014
【図１１Ａ】
2018167020.tif 000015
【図１１Ｂ】
2018167020.tif 000016
【図１１Ｃ】
2018167020.tif 000017
【図１２】
2018167020.tif 000018
【外国語明細書】
2018167020000001.pdf